(57)【要約】【課題】  個々の利用者の要求に適合した情報を配信できる情報配信システムを提供する。【解決手段】  本発明の情報配信システムは、配信基準に基づいて蓄積された蓄積情報の中から利用者に配信する配信情報を選択する配信情報選択部２２と、配信情報選択部２１が選択した配信情報を利用者に配信する情報配信処理部２３と、配信情報を視聴する利用者の視聴状況を示す視聴状況情報を受け付ける視聴状況情報受信部２４と、視聴状況情報に基づいて配信情報の適正を評価する配信情報評価部２５と、評価手段による評価結果に基づいて配信基準を変更する配信基準変更部２６とを備える。利用者の視聴状況に応じて配信基準を変更するため、個々の利用者の要求に適合した情報を配信できる。これにより、利用者は自己に有用な情報だけを得ることができる。【選択図】          図２
2007243253.tif 000002
【特許請求の範囲】
【請求項１】
配信基準に基づいて蓄積された蓄積情報の中から利用者に配信する配信情報を選択する選択手段と、
前記選択手段が選択した配信情報を前記利用者に配信する配信手段と、
前記配信情報を視聴する利用者の視聴状況を示す視聴状況情報を受け付ける受付手段と、
前記視聴状況情報に基づいて前記配信情報の適正を評価する評価手段と、
前記評価手段による評価結果に基づいて前記配信基準を変更する変更手段と、
を備えることを特徴とする情報配信システム。
【請求項２】
利用者が登録した登録情報に基づいて前記配信基準を生成する生成手段をさらに備えることを特徴とする請求項１に記載の情報配信システム。
【請求項３】
前記視聴状況情報を利用者が入力する入力手段をさらに備えることを特徴とする請求項１又は請求項２に記載の情報配信システム。
【請求項４】
前記視聴状況情報を検出する検出手段をさらに備えることを特徴とする請求項１から請求項３のいずれかに記載の情報配信システム。
【請求項５】
前記検出手段は、前記配信情報に含まれる画像の表示時間を前記視聴状況情報として検出することを特徴とする請求項４に記載の情報配信システム。
【請求項６】
前記検出手段は、前記配信情報に含まれる音声情報の再生時間を前記視聴状況情報として検出することを特徴とする請求項４に記載の情報配信システム。
【請求項７】
前記検出手段は、前記配信情報を視聴する利用者の生体情報を前記視聴状況情報として検出することを特徴とする請求項４に記載の情報配信システム。
【請求項８】
前記検出手段は、前記配信情報を再生する端末の操作状況に基づいて前記視聴状況情報を検出することを特徴とする請求項４に記載の情報配信システム。
【請求項９】
前記登録情報は、画像、音声および文字の情報のうちの少なくとも一つを含むことを特徴とする請求項２に記載の情報配信システム。
【請求項１０】
前記登録情報は、キーワード、会議資料及び会議を録音した音声情報のうちの少なくとも一つを含むことを特徴とする請求項２に記載の情報配信システム。
【請求項１１】
前記生成手段は、前記利用者が登録した登録情報が画像である場合、前記画像に基づいて前記配信基準を生成することを特徴とする請求項２に記載の情報配信システム。
【請求項１２】
前記生成手段は、前記利用者が登録した登録情報が動画像である場合、前記動画像の中から検出されたシーンに基づき前記配信基準を生成することを特徴とする請求項２に記載の情報配信システム。
【請求項１３】
前記生成手段は、前記利用者が登録した登録情報がキーワード、資料及び音声情報である場合、これらのうちの少なくとも一つに基づいて前記配信基準を生成することを特徴とする請求項２に記載の情報配信システム。
【請求項１４】
配信基準に基づいて蓄積された蓄積情報の中から利用者に配信する配信情報を選択する選択ステップと、
前記選択ステップで選択した配信情報を前記利用者に配信する配信ステップと、
前記配信情報を視聴する利用者の視聴状況を示す視聴状況情報を検出する検出ステップと、
前記視聴状況情報に基づいて前記配信情報の適正を評価する評価ステップと、
前記評価ステップでの評価結果に基づいて前記配信基準を変更する変更ステップと、
を備えることを特徴とする情報配信方法。
【請求項１５】
利用者が登録した登録情報に基づいて前記配信基準を生成する生成ステップをさらに有することを特徴とする請求項１４に記載の情報配信方法。
【発明の詳細な説明】
【技術分野】
【０００１】
本発明は、情報配信システム及び情報配信方法に関する。
【背景技術】
【０００２】
従来、この種のマルチメディア情報システムとして、特許文献１に示されるものがある。特許文献１のマルチメディア情報システムでは、会議、講演会、ライブ公演、ライブスポーツなどの画像、音声、その他ライブ情報を記録し、この記録された情報を用いてマルチメディア情報を自動作成し、予め登録された特定の利用者及び参加者に対し、マルチメディア情報の通知する技術が提案されている。
【０００３】
【特許文献１】特開２００２−２０７７５３号公報
【発明の開示】
【発明が解決しようとする課題】
【０００４】
しかしながら、特許文献１に示されるマルチメディア情報システムにおいては、自動作成されたすべてのマルチメディア情報がすべての利用者等に通知されるため、それぞれの利用者等は、自身が要求する有用な情報だけを得ることはなかった。
【０００５】
そこで、本発明は、上記問題点に鑑みてなされたもので、個々の利用者の要求に適合した情報を配信できる情報配信システム及び情報配信方法を提供することを目的とする。
【課題を解決するための手段】
【０００６】
上記課題を解決するために、本発明の情報配信システムは、配信基準に基づいて蓄積された蓄積情報の中から利用者に配信する配信情報を選択する選択手段と、前記選択手段が選択した配信情報を前記利用者に配信する配信手段と、前記配信情報を視聴する利用者の視聴状況を示す視聴状況情報を受け付ける受付手段と、前記視聴状況情報に基づいて前記配信情報の適正を評価する評価手段と、前記評価手段による評価結果に基づいて前記配信基準を変更する変更手段とを備える。ここで配信情報には例えば会議で取得した議事録などのマルチメディア情報が含まれる。本発明によれば、利用者の視聴状況に応じて配信基準を変更するため、個々の利用者の要求に適合した情報を配信できる。これにより、利用者は自己に有用な情報だけを得ることができる。
【０００７】
本発明の情報配信システムは、前記利用者が登録した登録情報に基づいて前記配信基準を生成する生成手段をさらに備える。本発明によれば、利用者は自分の好みに合った情報を登録でき、この登録された情報に基づいて配信基準を作り、この配信基準に応じて配信情報が選択されるため、利用者は希望する配信情報を得ることができる。本発明の情報配信システムは、前記視聴状況情報を前記利用者が入力する入力手段をさらに備える。本発明によれば、利用者が視聴状況情報を直接入力できることから、利用者側で配信される情報を自由に調整できる。
【０００８】
本発明の情報配信システムは、前記視聴状況情報を検出する検出手段をさらに備える。本発明によれば、配信された情報を視聴する視聴者の視聴状況を例えば自動的に検出し、この自動的に検出された視聴状況に応じて配信基準が変更されるため、利用者は配信情報の適正を判断することなく、好みの配信情報を得ることができる。例えば日常たくさん行われている会議情報の配信に利用することにより、必要な会議情報だけを視聴することができる。
【０００９】
前記検出手段は、前記配信情報に含まれる画像の表示時間を前記視聴状況情報として検出する。本発明によれば、例えばある画像についてはじっくりと時間を掛けて目を通した場合、利用者はその画像に興味を持ったことが分かり、またある画像については、ほとんど時間を掛けることなく次の画像を表示した場合は、利用者がその画像に対して興味を示さなかったことがわかる。このように画像の表示時間から利用者のその画像に対する興味度合いを知って、その興味度合いに応じて配信基準を自動的に変更することで、利用者は何らの手続きを行わなくても好みに応じた配信情報だけを得ることができる。
【００１０】
前記検出手段は、前記配信情報に含まれる音声情報の再生時間を前記視聴状況情報として検出する。本発明によれば、例えば利用者が早送りして音声を再生して聞いた場合、その利用者はその配信情報に興味を持っていなかったことが分かり、逆に何度も音声を巻き戻して再生した場合などのように再生時間が通常よりも長かった場合には、利用者はその配信情報に興味を持ったことが分かる。このように音声情報の再生時間を視聴者の視聴状況として利用して利用者の興味度合いを知ることで、この興味度合いに応じて配信情報を変更することにより、利用者は好みに合った配信情報を自動的に得ることができる。
【００１１】
前記検出手段は、前記配信情報を視聴する利用者の生体情報を前記視聴状況情報として検出する。本発明によれば、例えば視線の動きや視線の停留箇所、瞬きの回数などの利用者の生態情報を検出し、これを視聴者状況情報として利用することで、利用者が、画面のどの部分を集中して視聴していたかを把握し、これによって利用者の興味度を知り、この興味度によって配信情報を自動的に変更することにより利用者は好みに合った配信情報を得ることができる。
【００１２】
前記検出手段は、前記配信情報を再生する端末の操作状況に基づいて前記視聴状況情報を検出する。本発明によれば、例えば画面のある部分を拡大する操作した場合、その端末の操作状況を検出し、その端末の操作状況から視聴者のその配信情報に対する興味度合いを求め、その興味度合いに応じて配信情報を自動的に変更することにより、利用者は自分の好みに合った配信情報を自動的に得ることができる。
【００１３】
前記登録情報は、画像、音声および文字の情報のうちの少なくとも一つを含む。本発明によれば、利用者が、配信される画像、音声及び文字の情報の各要素の中から一つ以上の要素を任意に選択し登録しておくことができる。また、各要素について優先度を付けて登録しておくこともできる。前記登録情報は、キーワード、会議資料及び会議を録音した音声情報のうちの少なくとも一つを含む。本発明によれば、キーワード、会議資料及び会議音声の各要素の中から一つ以上の要素を任意に選択し登録しておくことができる。また、各要素について優先度を付けて登録しておくこともできる。
【００１４】
前記生成手段は、前記利用者が登録した登録情報が画像である場合、前記画像に基づいて前記配信基準を生成する。また、利用者側で登録情報の選択ができるようサーバ側で画像を含む要素を利用者に提示する場合、サーバ側で提示された文字、画像、音声、レイアウト情報の各要素のうち画像情報を利用者が選択した場合は、この選択された画像情報に基づいて配信基準を生成することができる。
【００１５】
前記生成手段は、前記利用者が登録した登録情報が動画像である場合、前記動画像の中から検出されたシーンに基づき前記配信基準を生成する。前記生成手段は、前記利用者が登録した登録情報がキーワード、資料及び音声情報である場合、これらのうちの少なくとも一つに基づいて前記配信基準を生成する。本発明によれば、キーワード、資料及び音声情報の各要素の中から一つ以上の要素に基づいて関連度の判定を行うことで、配信の対象かを判断することができる。
【００１６】
本発明の情報配信方法は、配信基準に基づいて蓄積された蓄積情報の中から利用者に配信する配信情報を選択する選択ステップと、前記選択ステップで選択した配信情報を前記利用者に配信する配信ステップと、前記配信情報を視聴する利用者の視聴状況を示す視聴状況情報を検出する検出ステップと、前記視聴状況情報に基づいて前記配信情報の適正を評価する評価ステップと、前記評価ステップでの評価結果に基づいて前記配信基準を変更する変更ステップとを備える。本発明によれば、利用者の視聴状況に応じて配信基準を変更するため、個々の利用者の要求に適合した情報を配信できる。これにより、利用者は自己に有用な情報だけを得ることができる。
【００１７】
本発明の情報配信方法は、利用者が登録した登録情報に基づいて前記配信基準を生成する生成ステップをさらに有する。本発明によれば、利用者は自分の好みに合った情報を登録でき、この登録された情報に基づいて配信基準を作り、この配信基準に応じて配信情報が選択されるため、利用者は希望する配信情報を得ることができる。
【発明の効果】
【００１８】
本発明によれば、個々の利用者の要求に適合した情報を配信することができる情報配信システム及び情報配信方法を提供できる。
【発明を実施するための最良の形態】
【００１９】
以下、添付図面を参照しながら、本発明の実施の形態における情報配信システムについて詳細に説明する。
【００２０】
図１は、本発明の実施形態に係る情報配信システムの全体構成図である。情報配信システム１は、プレゼンテーションシステム１０、情報記録配信装置２０及びユーザー端末３０を備えている。情報配信システム１は、会議の自動記録、記録した会議情報の自動要約、利用者への通知と配信などの処理を行う。プレゼンテーションシステム１０は、会議室のテーブル１１の上に置かれたパーソナルコンピュータ（ＰＣ）１２、プロジェクタ１３及びスクリーン１４を備えている。
【００２１】
プレゼンテーションシステム１０及びユーザー端末３０は、無線アクセスポイント４０、４１によりネットワーク５０に接続されている。このネットワーク５０は、非公衆回線網または社内ＬＡＮからなる。ネットワーク５０は、有線、無線、またはそれらの混在する通信回線から構成されていても良い。プレゼンテーションシステム１０及びユーザー端末３０は、有線接続によりネットワーク５０へ接続されていても良い。
【００２２】
プレゼンテーションシステム１０は、会議やプレゼンテーション等（以下、単に「会議」）を支援すると共に会議データ（蓄積情報）をキャプチャし、キャプチャした会議データを情報記録配信装置２０へ送る。尚、図１では、プレゼンテーションシステム１０を一つだけ示しているが、会議室が複数ある場合には複数の会議室のそれぞれに設置されていても良い。
【００２３】
情報記録配信装置２０は、プレゼンテーションシステム１０から受信した会議データを蓄積し、蓄積された会議データに対して加工を加えてユーザー端末３０へプッシュ技術により送信する。
【００２４】
ユーザー端末３０は、例えばノートパソコンや携帯電話等の携帯型端末により構成されている。ユーザー端末３０は、情報記録配信装置２０から配信される配信データを受信し、この配信データを表示する機能を有する。尚、図１では、一つのユーザー端末だけが情報記録配信装置２０との間でデータをやりとりしているが、実際には複数のユーザー端末が情報記録配信装置２０との間でデータのやりとりが行うことができる。
【００２５】
次に、情報記録配信装置２０について説明する。図２は、情報記録配信装置２０の構成を示す図である。図２に示すように、情報記録配信装置２０は、配信基準生成部２１、配信情報選択部２２、情報配信処理部２３、視聴状況情報受信部２４、配信情報評価部２５、配信基準変更部２６及びデータベース２７を備えている。
【００２６】
配信基準生成部２１は、利用者が登録した登録情報に基づいて配信基準を生成するものである。例えば、利用者は、ユーザー端末３０を利用して登録情報を情報記録配信装置２０に登録することができる。配信基準情報は、利用者が登録する場合又はこれらの情報を利用者に選択させる場合がある。配信基準情報は、画像、音声及び文字の情報の各要素の中から１つ以上の要素を任意に設定し登録できる。この配信基準情報には、例えばキーワードの文字、会議資料の文字及び画像、マルチメディア議事録の文字及び画像と会議、録音した音声情報などが含まれる。
【００２７】
ここで、キーワードは例えば単語で構成される。なお、キーフレーズや文などもキーワードの概念に含まれる。会議資料は、会議で用いられ又は配布された文字又は画像などを含むものである。マルチメディア議事録は、会議中の音声データなどを含み、音声データそのものや音声データから音声認識技術を利用して作成した書き起こしテキストの場合などがある。
【００２８】
利用者に選択させる場合の例としては、例えばユーザーがユーザー端末３０を介して例えば会議資料を情報記録配信装置２０に送付すると、情報記録配信装置２０は、ＯＣＲ処理を行い、会議資料を文字情報、図情報、レイアウト情報に分けユーザー端末３０を介してユーザーに提示する。ユーザーはユーザー端末３０を操作して文字、音声、又は画像などの中から一つ以上の要素を選択し優先度をつけて登録する。なお、例えば動画像からシーン検出や特徴的な画像を抽出することより映像をインデキシング(例：特開２００３−１７９８４９）して、インデキシングされた画像を登録情報として登録してもよい。映像をインデキシングする技術については、例えば特開２００３−１７９８４９号公報で提案されている。
【００２９】
配信情報選択部２２は、配信基準生成部２１によって生成された配信基準に基づいてデータベース２７に蓄積された会議データの中から利用者に配信するデータを選択する。
【００３０】
情報配信処理部２３は、配信情報選択部２２が配信すべきと判断した配信先に配信すべきと判断した配信データを配布する。情報配信処理部２３は、例えば配信データを配信データの格納場所又は配信データそのものの添付することにより配布する。配信データの格納場所としては、例えばＵＲＬ（Uniform Resource Locator）を通知してもよい。また、配信データには、ＳＷＦ(small Web format)、ＨＴＭＬ(HyperText Markup Language）、動画などを用いることができる。ＨＴＭＬを用いることにより、画像と音声の埋め込み・ＳＭＩＬ（Synchronized Multimedia Integration Language）による同期再生などを実現できる。
【００３１】
なお、情報配信処理部２３が配信する配信情報には、例えば会議映像、会議音声、会議資料などの会議データそのものの他、会議データを要約した要約データ、会議データのうち音声データをテキストに書き起こしたテキストデータ及びその要約データ、会議データのうちの音声データ及びその音声データの要約データなどのように、会議データを何らかの方法によって加工したデータも含まれる。
【００３２】
視聴状況情報受信部２４は、配信データを視聴する利用者の視聴状況を示す視聴状況情報をユーザー端末３０から受信する。配信情報評価部２５は、ユーザー端末３０から受け取った視聴状況情報に基づいて配信データの適正を評価する。例えば、配信情報評価部２５は、視線停留箇所、部分拡大ビューワ停留点又は拡大表示ＵＩの画面表示部分を計算し、一定値以上であればユーザーが熱心に視聴したものと判断する。
【００３３】
配信基準変更部２６は、配信情報評価部２５による評価結果に基づいて配信基準を変更する。具体的には、配信基準変更部２６は、配信するか否かに対し影響を与える要素についての重み付け（ｗ１,ｗ２１,ｗ２２,ｗ２…）を変更する。この重み付けの変更についてはニューラルネットワークなどの公知の手法を用いてもよい。学習回数がそれほど期待できないため、変更の度合いを大きくし、グループや部門単位のように複数人でパラメータをシェアするなどの工夫をするとよい。この際、メンバーのアイデンティティや評価がなされた時間を考慮して重み付けを変えてもよい（特開２００５−１３０２５７号公報参照）。
【００３４】
次に、配信情報選択部２２について説明する。図３は、配信情報選択部２２の構成を示す図である。配信情報選択部２２は、配信先判断部２２１と配信情報選択部２２２を備えている。配信先判断部２２１は、配信先情報と蓄積された会議データの属性を照合し配信先か否かを判断する。配信先情報は、配信先を特性するためのメールアドレス、電話番号、ユーザー属性などの利用者の個人情報である。ここで、ユーザー属性には、例えば会社名、部門又は役職等が含まれる。また、会議データの属性には、会議室情報、社外秘密、配布可能範囲等の情報が含まれる。
【００３５】
配信情報選択部２２２は、記録された会議データの内容により配信の是非を判断するものである。この配信情報選択部２２２は、キーワード関連度判定部２２３、会議資料関連度判定部２２４、マルチメディア議事録関連度判定部２２５及び総合関連度判定部２２６を有する。
【００３６】
キーワード関連度判定部２２３は、配信基準に基づいてキーワードの関連度を判定する。キーワード関連度判定部２２３は、配信基準に基づいてユーザーにより登録されたキーワードと、データベース２７に蓄積された会議データに含まれる会議資料に対しＯＣＲ処理をかけ文字情報部分をテキスト化したものや、会議音声に対する音声認識処理によりテキスト化したものとの関連度を判断する。キーワード関連度判定部２２３は、キーワードとの一致や公知の関連文書検索等の技術を用いて関連度の判定を行う。
【００３７】
会議資料関連度判定部２２４は、配信基準に基づいて会議資料の関連度を判定するものである。会議資料関連度判定部２２４は、画像、文字からなる会議資料に含まれる文字情報、画像情報、レイアウト等の情報の個々の要素もしくは複数の要素について関連度を判定し、および重み付け(ｗ２１,ｗ２２,ｗ２３….)を行う。会議資料関連度判定部２２４は、この要素の関連度判定については例えば画像認識、関連文書検索等の公知の手法を用いることができる。
【００３８】
マルチメディア議事録関連度判定部２２５は、配信基準に基づいてマルチメディア議事録の関連度を判定する。マルチメディア議事録関連度判定部２２５は、以前に配信されたマルチメディア議事録を使用し、関連したマルチメディア議事録を検索する。会議音声については話者の声紋による話者特定や音声認識による内容について判定を行う。マルチメディア議事録関連度判定部２２５は、会議資料関連度判定と同様に、個々の要素もしくは複数の要素についての関連度の判定および重み付け(ｗ３１,ｗ３２,ｗ３３…)を行う。
【００３９】
総合関連度判定部２２６は、キーワード関連度判定部２２３、会議資料関連度判定部２２４及びマルチメディア議事録関連度判定部２２５で判定した関連度に対し、重み付け(ｗ１,ｗ２,ｗ３)を行い、閾値以上のものであればその会議データを配信の対象とする。
【００４０】
図４はユーザー端末３０の構成を示す図である。図４に示すように、ユーザー端末３０は、送受信部３１、入力部３２、視聴部３３、視聴状況検出部３４及び記憶部３５を備えている。送受信部３１は、登録情報を情報記録配信装置２０へ送信し、情報記録配信装置２０の情報配信処理部２３から配信データを受信し、視聴状況検出部３４で検出した視聴状況情報を情報記録配信装置２０へ送信するものである。
【００４１】
入力部３２は、例えばキーボードなどにより構成され、情報記録配信装置２０に登録する登録情報と視聴状況情報を入力するものである。なお、この入力部３２は、マイクから集音した音声データに基づいて音声認識技術を用いて視聴状況を入力してもよい。出力部３３は、ディスプレイ及びスピーカで構成され、情報記録配信装置２０から配信された配信データを例えば表示し、又は音声により再生する。これによりユーザーは、会議映像や会議音声の視聴が可能となる。
【００４２】
視聴状況検出部３４は、利用者が配信された配信データに対する利用者の視聴状況を検出するものである。例えば、視聴状況検出部３４は、配信データに含まれる画像の表示時間又は音声情報の再生時間、配信データを視聴する利用者の生態情報、又は配信データを再生するユーザー端末３０の操作状況の情報を視聴状況情報として検出する。記憶部３５は、送受信部３１で受信した配信データを記憶するものである。
【００４３】
また、例えば、ユーザー端末３０上で画像を部分的に拡大するインターフェース（特開２００５−１０８２１０号公報参照）が起動している場合には、視聴状況検出部３４は、インターフェースから画像上のユーザーが拡大した部分の位置情報と画像の識別情報を取得して、位置情報と画像の識別情報を視聴状況情報として扱う。
【００４４】
また、ユーザー端末３０上で、画像全体を拡大し部分的に表示するインターフェースが起動している場合には、視聴状況検出部３４は、インターフェースから部分的に表示された情報の位置情報と画像の識別情報を取得して、この位置情報と画像の識別情報を視聴状況情報として扱う。さらに、視聴状況検出部３４がユーザー端末３０に設けられたカメラなど視線の動きが検出できるデバイスの場合、視聴状況検出部３４は、拡大箇所、画面全体の中で一定時間以上表示されていた部分、視線の停留箇所からユーザーがスライドのどこを見ていたかの情報を検出する。配信情報評価部２５は、検出した視聴状況情報に基づいて配信情報の適正を判断する。配信情報評価部２５は、端末がカメラを備えている場合にはユーザーがスライドを見ていた際の瞬目を検出してスライド視聴時にユーザーが集中していたかを判断し良し悪しを判断する。例えば、瞬きの波形がゆっくりとしたものになる、あるいは眼球成分が急速に減少すれば集中力が低下していると判断する。
【００４５】
次に、情報記録配信装置２０及びユーザー端末３０の処理について説明する。図５は、プレゼンテーションシステム１０によりキャプチャした会議データを情報記録配信装置２０へ登録するときの処理の流れを示す図である。情報記録配信装置２０は、プレゼンテーションシステム１０でキャプチャされた会議データを受け付ける（ステップＳ１１）。情報記録配信装置２０は、データベース２７に会議データを登録する（ステップＳ１２）。
【００４６】
図６は、情報記録配信装置２０とユーザー端末３０の処理の流れを示す図である。配信情報選択部２２は、配信基準から配信予定の利用者の配信基準を抽出する（ステップＳ２１）。配信情報選択部２２は、抽出した配信基準をもとにデータベース２７から適合する会議データを読み出し、利用者のユーザー端末３０へ配信データを配信する（ステップＳ２２）。ユーザー端末３０の送受信部３１は、配信データを受信し（ステップＳ３１）、利用者の要求に応じて出力部３３に配信データを出力する（ステップＳ３２）。これにより利用者は配信されたデータを視聴することができる。
【００４７】
視聴状況検出部３４は、配信データを視聴している視聴者の視聴状況情報を検出する（ステップＳ３３）。ユーザー端末３０の送受信部３１は、視聴状況情報を情報記録配信装置２０へ送信する（ステップＳ３４）。視聴状況情報受信部２４は、ユーザー端末３０から送られてきた視聴状況情報を受け付ける（ステップＳ２３）。視聴状況評価部２４は、視聴状況情報を基に配信した配信データの適正を評価する（ステップＳ２４）。配信情報変更部２６は、視聴状況評価部２５での評価と評価について影響を与えたと特定された箇所について配信基準を変更する（ステップＳ２５）。
【００４８】
なお、配信情報評価部２５は、ユーザーが例えばユーザー端末３０により直接入力した評価に基づいて配信データの適正を評価してもよい。例えば、ユーザーが複数の会議データを配信データとしてユーザー端末３０で得た場合、複数の会議データのうちの一つは、大変興味のある会議データであると判断した場合には、その会議データは評価が高いことを示す情報を配信側に回答し、ある会議データは全く興味に無い内容である場合には、その会議データは評価が低いことを示す情報を配信側に回答するようにしてもよい。この場合、利用者は、評価を直接入力する手間はあるものの、自己の好みを配信側に知らせることができるため、興味が低い配信データを受け取ることが無くなるため、無駄な配信データの視聴をなくすことができる。また、配信情報評価部２５は、ユーザーによる直接評価とシステム側による自動評価を併用して配信基準を変更するようにしてもよい。
【００４９】
図７は、視聴状況情報を利用者が直接登録する際の処理の流れ図である。ステップＳ４１で、配信情報評価部２５は、ユーザーの視聴状況情報又はユーザーが直接入力した配信データに対する評価に基づいて、ユーザーの評価が良いか悪いかを判断し、ユーザーの評価が良いと判断した場合、配信基準変更部２６は、ステップＳ４２で登録情報と異なる要素について視聴があったかどうかを判断する。配信基準変更部２６は、ユーザーの視聴に影響を与えていたであろう要素の中で登録データと同じものがあるかを判断する。例えば資料の中に含まれる画像があれば、その画像と登録データが一致、もしくはその画像が登録データに含まれるものであればユーザーの判断に良し悪しを与えた登録要素であると判断する。
【００５０】
登録情報と異なる要素について視聴があったと判断した場合には、ステップＳ４３で、配信基準変更部２６は、登録情報と異なる要素に基づいて登録情報を追加する。その後、配信基準生成部２１は、既に登録されている登録情報と配信基準変更部２６により追加された登録情報に基づいて配信基準を新たに生成する。これにより、配信情報選択部２２は、変更後の新たな配信基準に基づいてデータベース２７を参照して配信する配信データを選択する。
【００５１】
図８は、視聴状況情報を利用者が削除する際の処理の流れ図である。ステップＳ５１で、配信基準変更部２６は、要素に対する重みが一定以下かどうかを判断し、ステップＳ５２で一定以上重み付けが小さくなったものに関しては登録情報から削除する。これにより、配信情報選択部２２は、変更後の新たな配信基準に基づいてデータベース２７を参照して配信する配信データを選択する。
【００５２】
図９は、配信情報評価部における自動評価を説明するための図である。図９に示すように、オブジェクト種別割合表６０は、閲覧エリア６１、傾聴エリア６２、精読エリア６３及び見出しエリア６４を持つ。情報配信記録配信装置２０は、特願2004-289363にあるスライドの自動分類を用いてスライドＳ１〜Ｓ１０を上記４つの種類に分類する。具体的にはスライド中の文字と文字以外のオブジェクトの割合及びスライド提示時間に基づいてスライドを分類する。この表とユーザーの状態を用いて視聴状況を評価する。例えば、傾聴すべきスライドについては、視聴時間／再生時間を計算し、精読すべきスライドについては、文章全体／ユーザー視聴箇所を計算し、一定値以上であればユーザーが熱心に視聴したものと（良いと）判断する。ここで、ユーザー視聴箇所は、例えば視線停留箇所または部分拡大ビューワ停留点または拡大表示ＵＩの画面表示部分である。
【００５３】
これにより、利用者が視聴したスライドについて手動で評価を入力せずとも、
各スライドごとの評価を行うことができる。
【００５４】
上記情報配信システム１によれば、ユーザーにとって有用な会議、講演などの情報をいち早くキャッチアップすることができる。また、ユーザーの興味の変更についても追従することができる。また、各地で行われる会議の中から、ユーザーの嗜好にあったマルチメディア議事録などの情報をいち早く取得できる。さらに、使用を重ねるごとに、よりユーザーの嗜好にあった情報を受け取ることができる。
【００５５】
会議記録のような画像・音声・文字から成る複合データの登録において、データの要素をサーバ側が自動的に解析提示し選択できる、もしくは複合データごと登録できるため、面倒な作業を必要とせず複合データに関する情報を登録することができる。会議記録のような画像、音声、文字から成る複合データに対し同じく複数要素もしくは複合データそのものにより検索をすることができる。ユーザーの状況と配信情報の内容により自動的にユーザーが熱心に視聴していたかを判断できる。さらに、ユーザーの操作から見ていたところが判断できる。
【００５６】
図１０は、情報記録配信装置のハードウエア構成を示す図である。図１０に示すように、情報記録配信装置１０は、ＣＰＵ（Central Processing Unit）１０１、ＲＯＭ（Read Only Memory）１０２、ＲＡＭ（Random Access Memory）１０３、ＨＤ（Hard Disk）１０４などにより構成されている。ＣＰＵ１０１は、ＲＡＭ１０３を作業メモリとし、ＲＯＭ１０２やＨＤ１０４に格納されたプログラムを実行することにより、図２に示す各機能が実現される。
【００５７】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００５８】
【図１】本発明の実施形態に係る情報配信システムの全体構成図である。
【図２】情報記録配信装置の構成を示す図である。
【図３】配信情報選択部の構成を示す図である。
【図４】ユーザー端末の構成を示す図である。
【図５】プレゼンテーションシステムによりキャプチャした会議データを情報記録配信装置へ登録するときの処理の流れを示す図である。
【図６】情報記録配信装置とユーザー端末の処理の流れを示す図である。
【図７】視聴状況情報を利用者が直接登録する際の処理の流れ図である。
【図８】視聴状況情報を利用者が削除する際の処理の流れ図である。
【図９】配信情報評価部における自動評価を説明するための図である。
【図１０】情報記録配信装置のハードウエア構成を示す図である。
【符号の説明】
【００５９】
１  情報配信システム
１０  プレゼンテーションシステム
２０  情報記録配信装置
２１  配信基準生成部
２２  配信情報選択部
２３  情報配信処理部
２４  視聴状況情報受信部
２５  配信情報評価部
２６  配信基準変更部
２７  データベース
３０  ユーザー端末
３４  視聴状況検出部
【図１】
2007243253.tif 000003
【図２】
2007243253.tif 000004
【図３】
2007243253.tif 000005
【図４】
2007243253.tif 000006
【図５】
2007243253.tif 000007
【図６】
2007243253.tif 000008
【図７】
2007243253.tif 000009
【図８】
2007243253.tif 000010
【図９】
2007243253.tif 000011
【図１０】
2007243253.tif 000012